(57)【要約】【課題】防風設備を簡単且つ迅速に構築することができるとともに、その取り扱いが容易で撤去作業も簡単に行うことができるブロック体とこれを用いた防風設備を提供すること。【解決手段】矩形容器状の本体部１Ａと、該本体部１Ａの開口部周縁に形成された矩形枠状のフランジ部１Ｂとで一体に形成され、前記本体部１Ａの底面と前記フランジ部１Ｂに複数のボス３，５と係合孔４，６をそれぞれ形成してブロック体１を構成する。そして、複数のブロック体１を上下を逆にして多段に積み重ねて防風体１１を構成し、該防風体１１を複数並設してロープ１２，１３，１４で互いに連結することによって防風設備１０を構築する。【選択図】図７
2018131795.tif 000002
【特許請求の範囲】
【請求項１】
矩形容器状の本体部と、該本体部の開口部周縁に形成された矩形枠状のフランジ部とで一体に形成され、前記本体部の底面と前記フランジ部に複数のボスと係合孔をそれぞれ形成して構成されることを特徴とするブロック体。
【請求項２】
請求項１記載のブロック体を上下を逆にして多段に積み重ねて防風体を構成し、該防風体を複数並設してロープで互いに連結することによって構築されることを特徴とする防風設備。
【発明の詳細な説明】
【技術分野】
【０００１】
本発明は、ブロック体とこれを用いて簡単に構築される防風設備に関するものである。
【背景技術】
【０００２】
例えば、りんご、梨、桃、パッションフルーツ等の果実の収穫期は、台風の襲来時期に一致することが多く、台風による果実の落下によって農家が甚大な損害を蒙る場合がある。
【０００３】
そこで、特許文献１には、台風や暴風の襲来による果実の落下を防ぐための防風装置が提案されている。この防風装置は、吹き付ける風を大きく口を広げた流入口から流入させ、流入した風を風洞後部で上方に絞り込みながら吹出口へと導ことによって、加速された風速力でその風邪をエアーカーテン状態として上部を吹き抜ける風と合流させ、風下側の果実の上空を通過させるものである。
【先行技術文献】
【特許文献】
【０００４】
【特許文献１】特開２００６−３２２２９７号公報
【発明の概要】
【発明が解決しようとする課題】
【０００５】
しかしながら、特許文献１において提案された防風装置は、防風専用の装置であって、その製作に多大なコストと時間を要する他、重いためにその設置及び撤去作業が大変であるという問題がある。
【０００６】
本発明は上記問題に鑑みてなされたもので、その目的とする処は、防風設備を簡単且つ迅速に構築することができるとともに、その取り扱いが容易で撤去作業も簡単に行うことができるブロック体とこれを用いた防風設備を提供することにある。
【課題を解決するための手段】
【０００７】
上記目的を達成するため、請求項１記載の発明は、矩形容器状の本体部と、該本体部の開口部周縁に形成された矩形枠状のフランジ部とで一体に形成され、前記本体部の底面と前記フランジ部に複数のボスと係合孔をそれぞれ形成してブロック体を構成したことを特徴とする。
【０００８】
請求項２記載は、請求項１記載のブロック体を上下を逆にして多段に積み重ねて防風体を構成し、該防風体を複数並設してロープで互いに連結することによって防風設備を構築することを特徴とする。
【発明の効果】
【０００９】
本発明によれば、多数のブロック体を軽量な樹脂等によって構成すれば、これらのブロック体の取り扱いが容易となり、これらのブロック体を上下を逆にして多段に積み重ねて防風体を構成し、該防風体を複数並設してロープで互いに連結することによって防風設備を簡単且つ迅速に構築することができる。そして、このように構築された防風設備によって果樹園等の農地の周囲を囲めば、果樹等の農産物の風による被害を防ぐことができる。
【００１０】
又、防風設備は、軽量な多数のブロック体を組み合わせて構築され、不要なときには防風設備を容易に解体して多数のブロック体に分解することができるため、撤去が簡単且つ迅速になされるとともに、ブロック体の保管も大きなスペースを要することなく簡単に行うことができる。
【図面の簡単な説明】
【００１１】
【図１】本発明に係るブロック体の正面図である。
【図２】本発明に係るブロック体の平面図である。
【図３】本発明に係るブロック体の斜視図である。
【図４】本発明に係る防風設備によって囲まれた農地の平面図である。
【図５】図４のＡ−Ａ線断面図である。
【図６】図５のＢ部拡大詳細図である。
【図７】図６の矢視Ｃ方向の図である。
【図８】図７の矢視Ｄ方向の図である。
【発明を実施するための形態】
【００１２】
［ブロック体］
先ず、本発明に係るブロック体の実施の形態を図１〜図４に基づいて説明する。尚、図１は本発明に係るブロック体の正面図、図２は同ブロック体の平面図、図３は同ブロック体の斜視図である。
【００１３】
本発明に係るブロック体１は、矩形容器状の本体部１Ａと、該本体部１Ａの開口部周縁に形成された矩形枠状のフランジ部１Ｂとで一体に形成されている。ここで、ブロック体１は、ポリプロピレン（ＰＰ）等の樹脂によって一体に成形されている。
【００１４】
ところで、ブロック体１の本体部１Ａは、下方に向かって若干絞られてテーパ状に形成されており、該本体部１Ａの底面中央部からはテーパ筒状の支持柱１Ｃが一体に立設されている。尚、この支持柱１Ｃの上端は閉じられており、この上端面は、フランジ部１Ｂの上面の位置に一致している。又、ブロック体１の本体部１Ａの側壁には、軽量化のための矩形の通気孔２が複数形成されている。
【００１５】
而して、ブロック体１においては、フランジ部１Ｂの各辺には垂直に突出するボス３と円孔状の係合孔４がそれぞれ１つずつ形成されている。又、本体部１Ａの底面の対角線上には垂直に突出するボス５と円孔状の係合孔６がそれぞれ２つずつ形成されている。
【００１６】
［防風設備］
次に、本発明に係る防風設備の実施の形態を図４〜図８に基づいて説明する。尚、図４は本発明に係る防風設備によって囲まれた農地の平面図、図５は図４のＡ−Ａ線断面図、図６は図５のＢ部拡大詳細図、図７は図６の矢視Ｃ方向の図、図８は図７の矢視Ｄ方向の図である。
【００１７】
本発明に係る防風設備は、前述のブロック体１を多数組み合わせて壁状に構築されるものであって、図４及び図５に示すように、果樹園等の農地の周囲を四角状に囲むことによって防風機能を果たすものである。
【００１８】
この防風設備１０の構築に際しては、先ず、図６に示すように、複数（図示例では６個）のブロック体１を上下を逆にして多段に積み重ねて防風体１１を構成する。このように複数のブロック体１を上下を逆にして重ねる場合、各ブロック体１のフランジ部１Ｂ同士が重ねられる場合には、一方のフランジ部１Ｂに突設されたボス３が他方のフランジ部１Ｂに形成された係合孔４に係合するため、両ブロック体１が正確に位置決めされて重ねられる。又、各ブロック体１の本体部１Ａの底面同士が重ねられる場合には、一方の本体部１Ａの底面に突設されたボス５が他方の本体部１Ａの底面に形成された係合孔６に係合するため、両ブロック体１が正確に位置決めされて重ねられる。
【００１９】
上述のように複数のブロック体１が上下を逆にして多段に積み重ねられて防風体１１が構成されると、図７に示すように、複数の防風体１１を並設してロープ１２，１３，１４で互いに連結することによって防風設備１０を構築する。具体的には、図６〜図８に示すように、各防風体１１の最上段と最下段のブロック体１の各フランジ部１Ｂに左右２本のロープ１２をそれぞれ通し、同側の上下のロープ１２同士を別のロープ１３で連結する。そして、図８に示すように、或る特定の防風体１１の最上段のブロック体１の本体部１Ａに更に別の２本ロープ１４を互い違いに掛け、各ロープ１４の端部を杭１５によって地面に固定する。このようにすることによって、防風設備１０を構成する複数の防風体１１が倒れることなく垂直に立設される。尚、ロープ１２，１３，１４としては、同種のものが用いられる。
【００２０】
而して、ブロック体１は前述のように軽量な樹脂によって構成されているため、多数のブロック体１の取り扱いが容易となり、これらのブロック体１を上下を逆にして多段に積み重ねて防風体１１を構成し、該防風体１１を複数並設してロープ１２，１３，１４で互いに連結することによって防風設備を簡単且つ迅速に構築することができる。そして、このように構築された防風設備１０によって図４に示すように農地の周囲を囲めば、風の一部は通過するものの、大部分の風の通過が防風設備によって防がれるため、果樹等の農産物の風による被害が防がれる。この場合、防風設備１０は、一部の風の通過を許容するため、大きな風圧によって当該防風設備１０が倒壊することがない。
【００２１】
又、防風設備１０は、軽量な多数のブロック体１を組み付けて構成され、不要なときには当該防風設備１０を容易に解体して多数のブロック体１に分解することができるため、撤去が簡単且つ迅速になされるとともに、ブロック体１の保管も大きなスペースを要することなく容易に行うことができる。
【００２２】
尚、以上は本発明に係るブロック体１を防風設備１０の構築に用いた形態について説明したが、ブロック体１は、台用ブロック、ハウス用ブロック、盛土用ブロック等としても使用することができる。
【符号の説明】
【００２３】
１          ブロック体
１Ａ        ブロッ体の本体部
１Ｂ        ブロック体のフランジ部
１Ｃ        ブロック体の支持柱
２          通気孔
３          ボス
４          係合孔
５          ボス
６          係合孔
１０        防風設備
１１        防風体
１２〜１４  ロープ
１５        杭
【図１】
2018131795.tif 000003
【図２】
2018131795.tif 000004
【図３】
2018131795.tif 000005
【図４】
2018131795.tif 000006
【図５】
2018131795.tif 000007
【図６】
2018131795.tif 000008
【図７】
2018131795.tif 000009
【図８】
2018131795.tif 000010